(57)【特許請求の範囲】
【請求項１】
ティースコアのティース部に、巻線が施された巻線ボビンが被嵌され、前記巻線は前記ティースコアの一端に配置されたプリント板に結線されるとともに、前記ティースコアは前記巻線ボビンと一体に中空のヨークコアに嵌入される回転電機において、
前記ティースコアのティース部と嵌合する前記巻線ボビンの中空穴の壁面に、前記ティース部との間で押し潰されて前記巻線ボビンを前記ティース部に密嵌させる断面三角形状の突部を、内径側から外径側に向かって高さが高くなるように一体形成したことを特徴とする回転電機。
【請求項２】
ティースコアのティース部に、巻線が施された巻線ボビンが被嵌され、前記巻線は前記ティースコアの一端に配置されたプリント板に結線されるとともに、前記ティースコアは前記巻線ボビンと一体に中空のヨークコアに嵌入される回転電機において、
前記巻線ボビンの前記ヨークコアに嵌入される側の端部の外周面を一部削除し、この巻線ボビンの外周面削除部分で前記ティースコアのティース部を前記巻線ボビンから露出させたことを特徴その部分でとする回転電機。
【発明の詳細な説明】
【０００１】
【発明の属する技術分野】
この発明は、ティースコアとヨークコアとからなる２分割コアに巻線ボビンを被嵌して結線する回転電機に関し、特に巻線ボビンの構造に関する。
【０００２】
【従来の技術】
上記した２分割コアを有する回転電機には、ティースコアのティース部に、巻線が施された巻線ボビンが被嵌され、前記巻線は前記ティースコアの一端に配置されたプリント板に結線されるとともに、前記ティースコアは前記巻線ボビンと一体に中空のヨークコアに嵌入されるものがある。
【０００３】
【発明が解決しようとする課題】
このような回転電機において、従来は次のような問題があった。
(1) ティースコアの一端に配置されたプリント板とこれに巻線が結線される巻線ボビンとの間には、巻線の接続端末を収容する適宜の隙間が必要であるが、プリント板と巻線ボビンとの間の距離が不安定であるため、一定の隙間を確保することが困難である。
(2) ティースコアのティース部に被嵌した巻線ボビンの嵌合が緩みやすく、結線の際に巻線ボビンが位置ずれしたり脱落したりして作業がやりにくい。
(3) 巻線ボビンを被嵌したティースコアをヨークコアに嵌入する際、ティースコアのティース部の表面が巻線ボビンに邪魔されてよく見えず、ヨークコアとの芯合わせがやりにくい。
そこで、この発明の課題は、これらの問題に対応し、モータコアの組立作業を容易にすることにある。
【０００４】
【課題を解決するための手段】
上記課題を解決するために、この発明は、ティースコアのティース部と嵌合する巻線ボビンの中空穴の壁面に、前記ティース部との間で押し潰されて前記巻線ボビンを前記ティース部に密嵌させる断面三角形状の突部を、内径側から外径側に向かって高さが高くなるように一体形成するものとする(請求項１)。
【０００５】
更に、この発明は、巻線ボビンのヨークコアに嵌入される側の端部の外周面を一部削除し、この巻線ボビンの外周面削除部分でティースコアのティース部を前記巻線ボビンから露出させるものとする(請求項２)。
【０００７】
【発明の実施の形態】
以下、図１〜図５に基づいて、永久磁石モータにおけるこの発明の実施の形態を説明する。ここで、図１は巻線ボビンの斜視図、図２はティースコアとそのティース部に被嵌される巻線ボビンの斜視図、図３は巻線ボビンが嵌入され、巻線がプリント板に結線されたティースコアの斜視図、図４はヨークコアとこれに嵌入されるティースコアの斜視図、図５は巻線ボビンの縦断面図である。図１に示すように、絶縁物からなる巻線ボビン１は中空方形の巻胴１ａの前後につば１ｂ及び１ｃを有し、図２の上端部が段差により肉厚に形成された外周側のつば１ｃには肉厚部と一体にプリント板位置決め用の突起１ｄが一体形成されている。また、つば１ｃは肉厚端部を除いて外周面が後述するティースコアと等径の円弧面になっているが、突起１ｄの反対側の端部において、外周面の一部１ｅの肉が削除されて平坦に形成されている。
【０００８】
図２において、巻線ボビン１には巻胴１ａに巻線２が施され、この巻線ボビン１は矢印に沿ってティースコア３のティース部３ａに被嵌される。巻線ボビン１が被嵌された状態で、その外周面とティース部３ａの外周面とは同一面となる。ここで、ティースコア３のティース部３ａと嵌合する巻線ボビン１の中空穴の壁面には、図１及び図５に示すように、上部１箇所、左右各２箇所に断面三角の筋状の突部１ｆが巻線ボビン１の被嵌方向に沿い、つば１ｂ側から１ｃ側に向って高さが高くなるように一体形成されている。そこで、ティース部３ａに巻線ボビン１を嵌入すると、突部１ｆがティース部３ａとの間で押し潰され、巻線ボビン１はティース部３ａに密嵌して固定保持される。
【０００９】
次いで、図３に示すように、ティースコア３の一端に配置されたプリント板４に巻線２（図２）が結線される。結線作業はプリント板４を巻線ボビン１から浮かせた状態で巻線端末をプリント板４にはんだ付けし、プリント板４を所定位置にセットすることにより行うが、その際、図示の通り、プリント板４を巻線ボビン１の突起１ｄの先端に当接させて位置決めする。これにより、巻線ボビン１とプリント板４との間に一定の隙間が形成され、この隙間に折り畳まれた巻線端末が適正に収容される。
【００１０】
結線の終了した図３の状態のティースコア３は、次いで図４の矢印方向に沿って、中空のヨークコア５に嵌入される。ヨークコア５の中空部内径はティースコア３の外径にきわめて近く、隙間は僅少に設定されている。従って、ティースコア３の嵌入に当たっては、その嵌入側（図４の下側）の先端をヨークコア５に正確に芯合わせする必要がある。そこで、図示の場合、巻線ボビン１の嵌入側端部の外周面の一部１ｅの肉が平坦に削除され、この部分からティース部３ａが露出するようにされている。これにより、上から覗いた場合にティースコア３の先端がよく見えるので、上記芯合わせが容易に行える。また、巻線ボビン１はティースコア３と突部１ｆを介して密嵌し、抜け出すことがないのでヨークコア５への嵌入作業もやりやすい。
【００１１】
【発明の効果】
以上の通り、この発明によれば、ティースコアに被嵌した巻線ボビンの緩みによる位置ずれや脱落がないため、その後の結線作業やヨークコアへの嵌入作業が容易でとなり、また巻線ボビンとプリント板との隙間が一定に保持されるので巻線端末の収容が安定し、更にティースコアの先端が巻線ボビンから露出してよく見えるので、ヨークコアへの嵌入作業が容易になるなど、作業性と品質の向上が図れる。
【図面の簡単な説明】
【図１】  この発明の実施の形態を示す巻線ボビンの斜視図である。
【図２】  図１の巻線ボビンをティースコアに被嵌する状態を示す斜視図である。
【図３】  巻線ボビンの被嵌とプリント板への結線を終了した図２のティースコアの斜視図である。
【図４】  図３のティースコアをヨークコアに嵌入する状態を示す斜視図である。
【図５】  図１の巻線ボビンの縦断面図である。
【符号の説明】
１    巻線ボビン
１ｄ  突起
１ｅ  平坦部
１ｆ  突部
２    巻線
３    ティースコア
３ａ  ティース部
４    プリント板
５    ヨークコア
【図１】
0004461569.tif 000002
【図２】
0004461569.tif 000003
【図３】
0004461569.tif 000004
【図４】
0004461569.tif 000005
【図５】
0004461569.tif 000006